(57)【要約】      （修正有）【課題】  ショベルカーなどのバケット１の底壁と底壁先端部１ａに設けられる刃体２との隙間からバケットで掬った土砂がもれ出るのを、簡易構造にして量産性に優れる方法で防止する。          【解決手段】  バケット１の底壁先端部１ａに設けられる刃体２のバケット１の底壁先端部１ａと対向する基端部２ａに凹部３を形成する。土砂の一部がこの凹部３に嵌り込み、係止作用を奏することで詰まった土砂は抜けて落ちにくくなる。【選択図】      図２
2006307554.tif 000002
【特許請求の範囲】
【請求項１】
ショベルカーなどのバケットの底壁先端部に設けられる刃体であって、この刃体は、バケットの底壁先端部と対向する基端部に凹部が形成されたものであることを特徴とするバケット用刃体。
【請求項２】
請求項１記載のバケット用刃体において、前記刃体にはバケットの底壁先端部に設けられた連結体に被嵌される被嵌装着部が設けられ、この被嵌装着部の両側には前記バケットの先端縁に可及的に近接する辺部が設けられ、この辺部の端縁に凹部が形成されていることを特徴とするバケット用刃体。
【請求項３】
請求項２記載のバケット用刃体において、前記凹部が複数並設されることで前記辺部の端縁は凹凸縁に形成されていることを特徴とするバケット用刃体。
【発明の詳細な説明】
【技術分野】
【０００１】
本発明は、バケット用刃体に関するものである。
【背景技術】
【０００２】
従来から、ショベルカーなどのバケットの底壁先端部に所定間隔をおいて設けられたアダプター（連結体）に被嵌装着する刃体（以下、従来例と言う。）が提案されている。この従来例は、バケットの土への挿入を良好とし、バケットの保護を目的とするものである。従来例をバケットに設けないで使用を重ねると、バケットは磨耗したり破損したりするが、従来例をバケットに設けておけば、適当時期に従来例を交換すればバケットの交換修理を回避することができる。
【発明の開示】
【発明が解決しようとする課題】
【０００３】
ところで、従来例は、被嵌装着部をアダプターに被嵌装着した際、その被嵌装着部の両側に位置する辺部とバケットの底壁先端縁との間に隙間が生じ、この隙間からバケットで掬った土砂がもれ出てしまうという問題点がある。
【０００４】
これは、各種メーカーから提案される種々のバケットに対して装着を可能にする為、従来例を若干寸法に余裕を持たせて設計しているからである（従来例をバケットごとの専用設計として場合には非常にコスト高となってしまう。）。
【０００５】
本発明は、上述の問題点を解消する、従来にない画期的なバケット用刃体を提供するものである。
【課題を解決するための手段】
【０００６】
添付図面を参照して本発明の要旨を説明する。
【０００７】
ショベルカーなどのバケット１の底壁先端部１ａに設けられる刃体２であって、この刃体２は、バケット１の底壁先端部１ａと対向する基端部２ａに凹部３が形成されたものであることを特徴とするバケット用刃体に係るものである。
【０００８】
また、請求項１記載のバケット用刃体において、前記刃体２にはバケット１の底壁先端部１ａに設けられた連結体４に被嵌される被嵌装着部５が設けられ、この被嵌装着部５の両側には前記バケット１の先端縁に可及的に近接する辺部が設けられ、この辺部の端縁に凹部３が形成されていることを特徴とするバケット用刃体に係るものである。
【０００９】
また、請求項２記載のバケット用刃体において、前記凹部３が複数並設されることで前記辺部の端縁は凹凸縁に形成されていることを特徴とするバケット用刃体に係るものである。
【発明の効果】
【００１０】
本発明は上述のように構成したから、バケットの底壁先端部と刃体の基端部との間に生じる隙間から土砂がもれ出るのを可及的に防止することができ、しかも、簡易構造故にコスト安にして量産性に秀れることになるなど従来にない作用効果を発揮する画期的なバケット用刃体となる。
【発明を実施するための最良の形態】
【００１１】
好適と考える本発明の実施形態を、図面に基づいて本発明の作用を示して簡単に説明する。
【００１２】
バケット１に刃体２を装着し、例えば掘削作業などを行なう。
【００１３】
この際、バケット１の底壁先端部１ａと刃体２の基端部２ａとの間に生じる隙間Ｓには土砂が詰まり、該隙間Ｓからバケット１で掬った土砂がもれ出ることが可及的に防止されることになる。
【００１４】
前述した従来例であっても、バケット１で土砂を掬った際、該バケット１の底壁先端部１ａと刃体２の基端部２ａとの間に生じる隙間Ｓには土砂が詰まることになるが、この詰まった土砂は、バケット１に振動が加わった際など簡単に抜け落ちてしまい再び隙間が生じてしまう。
【００１５】
この点、本発明は、この刃体２は、バケット１の底壁先端部１ａと対向する基端部２ａに凹部３が形成されているから、バケット１の底壁先端部１ａと刃体２の基端部２ａとの間に生じる隙間Ｓに土砂が詰まった場合に、この土砂の一部は凹部３に嵌まり込み、これが係止作用を奏することで当該詰まった土砂は抜けて落ちにくくなる（従来例のような刃体の基端部が単なるストレート縁であった場合、この係止作用は生じない。）。
【００１６】
従って、バケット１の底壁先端部と刃体２の基端部２ａとの間に生じる隙間Ｓから土砂がもれ出るのを可及的に防止することができ、しかも、簡易構造故にコスト安にして量産性に秀れることになる。
【実施例】
【００１７】
本発明の具体的な実施例について図面に基づいて説明する。
【００１８】
符号１はショベルカーのアーム先端に付設され、底壁１Ａ、左右側壁１Ｂ，１Ｃ及び上壁（図示省略）とから成るバケットである。
【００１９】
本実施例は、バケット１の底壁先端部１ａに装着する刃体２である。
【００２０】
刃体２は、図１に図示したように一つのバケット１に対して隣接同志が一部重なった状態で５枚付設される（刃体２の数は適宜設計し得るものである。）。尚、両側２枚の刃体２は他の刃体２と形状において若干異なる。
【００２１】
各刃体２は、図２に図示したように適宜な金属製の板状部材であり、その基端部には、バケット体２の底壁２ａの先端の５箇所に突設された連結体４（アダプター）に被嵌し得る被嵌装着部５が設けられている。
【００２２】
この被嵌装着部５の表面中央部には方形状の貫通孔５ａが形成され、この貫通孔５ａをアダプター４に形成される止着孔（図示省略）と合致させて止着部材６を圧入嵌挿させることによりアダプター４に対して刃体２を連結する。
【００２３】
また、各刃体２は、夫々貫通孔５ａの両側の辺部の端縁に凹部３が形成されている。
【００２４】
具体的には、この凹部３は、図２に図示したように刃体２の辺部の端縁に表裏方向に貫通する凹条であり、複数並設されている。従って、刃体２の辺部の端縁は凹凸縁となる。
【００２５】
この凹部３は、各刃体２をバケット１に付設した際、バケット１の底壁先端部１ａとの間に生じる隙間Ｓに詰まった土砂が係止して抜け落ちないようにするためのものである。
【００２６】
即ち、図５，６に図示したようにバケット１で土砂Ｔを掬った際、該バケット１の底壁先端部１ａと刃体２の基端部２ａとの間に生じる隙間Ｓには土砂が詰まり、この際、この詰まった土砂Ｔの一部が凹部３に嵌まり込むことになり、これが係止作用となって当該詰まった土砂Ｔが抜けて落ちにくくなる。
【００２７】
従って、１つの大きな凹部３より、複数の小さな凹部３とする方が良好な係止作用を発揮する。
【００２８】
尚、本実施例では凹部３を表裏面に貫通する凹条を設けて構成したが、表面側のみに貫通する凹部でも良い。また、本実施例の凹部３の内面にバケット表裏方向の凹凸を形成すると一層土砂の係止作用が発揮される。
【００２９】
本実施例は上述のように構成したから、バケット１の底壁先端部１ａと刃体２の基端部２ａ（辺部）との間に生じる隙間Ｓから土砂がもれ出るのを可及的に防止することができ、しかも、簡易構造故にコスト安にして量産性に秀れることになる。
【００３０】
また、本実施例は、凹部３を複数並設したから、例えば一つの大きい凹部３を設けた場合に比し、それだけ係止作用が強くなる。
【００３１】
尚、本発明は、本実施例に限られるものではなく、各構成要件の具体的構成は適宜設計し得るものである。
【図面の簡単な説明】
【００３２】
【図１】本実施例の使用状態説明図である。
【図２】本実施例を示す斜視図である。
【図３】本実施例の使用状態説明図である。
【図４】本実施例を示す正面図である。
【図５】本実施例の説明斜視図である。
【図６】本実施例の説明斜視図である。
【符号の説明】
【００３３】
１  バケット
１ａ  底壁先端部
２  刃体
２ａ  基端部
３  凹部
４  連結体
５  被嵌装着部
【図１】
2006307554.tif 000003
【図２】
2006307554.tif 000004
【図３】
2006307554.tif 000005
【図４】
2006307554.tif 000006
【図５】
2006307554.tif 000007
【図６】
2006307554.tif 000008